(57)【要約】【課題】横向き部の締め付け・緩めをレバーで行える肘掛け装置において、レバーを所定の姿勢に確実に保持できるようにする。【解決手段】肘掛け装置４の肘支柱に設けた横向き部１６は、ボルト１７によって椅子本体のステー１０に固定されている。ボルト１７には、レバー２０が回動可能に連結されており、周面カム２１ａの作用により、レバー２０を水平姿勢に回動させると、横向き部１６がステー１０に締め付けられて、レバー２０を下向き姿勢に回動させると、締め付けが緩んで横向き部１６を左右移動させることができる。中間支持体２５は横向き部１６との間に、弾性体として、皿形等のばね座金２７を介在させている。レバー２０を水平姿勢にしてから、ボルト１７をねじ込みできるため、レバー２０を横向き部１６の下方において外向きにした所定の姿勢に設定することを、確実に行える。【選択図】図５
2017113466.tif 000002
【特許請求の範囲】
【請求項１】
肘支柱に、椅子本体の下面に重なる横向き部を設けて、前記横向き部に設けたボルト挿通穴に、前記横向き部を前記椅子本体に締結するボルトが下方から挿通されており、
前記ボルトの下端に、当該ボルトの軸線と直交した軸心回りに回動するようにレバーを連結して、前記レバーのうちボルトに連結されているヘッド部をカムに形成しており、前記レバーを前記肘支柱の側に向けて回動させると横向き部が椅子本体に締め付けられて、前記レバーを前記肘支柱と反対側に回動させると横向き部の締結が緩む構成であって、
前記ボルトのうち前記レバーのヘッド部と横向き部との間の部位に、前記ボルトの軸方向の加圧にて弾性変形する弾性体を嵌め込んでいる、
椅子の肘掛け装置。
【請求項２】
前記横向き部のボルト挿通穴は、前記横向き部の長手方向に長い長穴になっている、
請求項１に記載した椅子の肘掛け装置。
【請求項３】
前記ボルトのうち前記ヘッドと横向き部との間に、前記カムが当接する中間支持体と、前記中間支持体と横向き部との間に位置した前記弾性体が配置されており、前記前記弾性体は皿型の座金である、
請求項１又は２に記載した椅子の肘掛け装置。
【発明の詳細な説明】
【技術分野】
【０００１】
本願発明は、椅子の肘掛け装置に関するものである。
【背景技術】
【０００２】
椅子の肘掛け装置は肘当てを支持する肘支柱を備えており、肘支柱は、その下端部に設けた左右長手の横向き部を椅子本体にボルト（ビス）で固定していることが多く、この場合、ボルトは、横向き部に下方から挿通されることが多い。
【０００３】
そして、例えば、脚装置や支持機構は共通させて、座の横幅が異なる複数種類の椅子を用意している場合、座の横幅に合わせて肘掛け装置の左右位置を変更せねばならず、そこで、横向き部のボルト挿通穴を左右長手の長穴とすることにより、椅子本体に対するボルトのねじ込み位置は一定のままで、肘掛け装置の左右位置を変更可能とすることが行われている。
【０００４】
このようにボルト挿通穴を長穴にした場合、通常のボルトも使用可能であるが、レンチで回転操作するのが面倒である。そこで、特許文献１に記載されているように、ボルトの下端に、当該ボルトの軸心と直交した方向の回動軸心回りに回動するレバーを取り付けて、レバーのうちボルトに取り付けているヘッド部をカムに形成することにより、レバーの回動操作によって、横向き部をワンタッチ的に締め付けたり緩めたりできるようにすることが行われている。
【先行技術文献】
【特許文献】
【０００５】
【特許文献１】実用新案登録第３１５８３２１号公報
【発明の概要】
【発明が解決しようとする課題】
【０００６】
この従来技術において、レバーはレンチの役割も果たしており、レバーに手を当てて回転操作することができる。そして、レバーを下向きにした姿勢で手でボルトをねじ込んでいって、手の力ではねじ込みできなる状態に至ってから、レバーを上向きに起こし回動させると、ヘッドのカム作用によって、横向き部が椅子本体に強く押し付けられて、締結状態になる。
【０００７】
レバーの回動操作は椅子の使用者が行うものであり、レバーを下向きに回動させて締結を緩めることによって、横向き部（肘当て）の左右位置を変更できる。所望の位置に変更してからレバーを上向きに回動させると、横向き部はその位置に固定される。従って、レバーは、上向きに回動させた状態で、横向き部と同じ姿勢で外向きに向いている必要があり、出荷する状態では、レバーが横向き部の下方で外き向き姿勢になっていないと、使用者は戸惑うことになる。
【０００８】
しかし、従来は、ボルトを手でねじ込みきってからレバーを水平状の姿勢まで上向き回動させると、更にねじ込むことについて大きな抵抗が発生するため、レバーを水平状に回動させた状態で、レバーの姿勢が横向き部の姿勢と大きく相違している場合、レバーを横向き部と同じ姿勢にすることが困難であり、このため、ナットを緩めたりしながら操作レバーが所定の姿勢になるように調整せねばならず、このため作業が面倒であった。
【０００９】
また、レバーを下向きに姿勢にすると、横向き部と椅子本体との間にガタが生じて、左右位置を調節をススムースに行いづらい場合もあった。
【００１０】
本願発明は、このような現状を改善すべく成されたものである。
【課題を解決するための手段】
【００１１】
本願発明の肘掛け装置は、
「肘支柱に、椅子本体の下面に重なる横向き部を設けて、前記横向き部に設けたボルト挿通穴に、前記横向き部を前記椅子本体に締結するボルトが下方から挿通されており、
前記ボルトの下端に、当該ボルトの軸線と直交した軸心回りに回動するようにレバーを連結して、前記レバーのうちボルトに連結されているヘッド部をカムに形成しており、前記レバーを前記肘支柱の側に向けて回動させると横向き部が椅子本体に締め付けられて、前記レバーを前記肘支柱と反対側に回動させると横向き部の締結が緩む、」
という基本構成である。
【００１２】
そして、請求項１の発明は、上記基本構成において、前記横向き部のボルト挿通穴は、前記横向き部の長手方向に長い長穴になっている。
【００１３】
請求項２の発明は、請求項１において、前記横向き部に形成されているボルト挿通穴が、前記横向き部の長手方向に長い長穴になっている。また、請求項３の発明はは請求項１又は２において、前記ボルトのうち前記ヘッドと横向き部との間に、前記カムが当接する中間支持体と、前記中間支持体と横向き部との間に位置した前記弾性体が配置されており、前記前記弾性体は皿型の座金になっている。
【発明の効果】
【００１４】
下向き状のレバーを摘んでボルトをねじ込んでいって、手で回転させられくなった時点でレバーを上向きに回動させたとき、レバーの姿勢がまちまちになり得るが、本願発明では、手では回転させられなくなった時点で、まだ弾性体の変形代が残っていることから、水平状に回動させたレバーを、横向き部の長手方向に長い姿勢に揃うように、レバーを回動させることができる。すなわち、レバーを水平状の姿勢にしてから、ボルトを更にねじ込むことができる。
【００１５】
つまり、レバーを上向きに回動させて締め込んだ状態で、レバーをボルトの軸心回りに回動させてボルトをねじ込みできる余裕がある。更に換言すると、レバーの上向き回動による締め込み力を弾性体で吸収して、レバーの回動操作を可能にできるのであり、これにより、肘掛け装置の取り付け工程で、レバーが横向き部と同じ方向に延びる姿勢となるように設定しておくことができる。従って、一々ナットを緩めるような作業は不要で、肘掛け装置の取り付け作業の手間を軽減できる。更に、レバーを下向きにした状態で弾性体を若干変形させた状態にしておくことにより、横向き部のガタツキを無くすことができるためため、請求項２の調節式の肘掛け装置に適用すると、肘掛け装置を安定した状態で左右動できて、調節作業をスムースに行うことができる。
【００１６】
弾性体は、金属製品やゴム質品など様々な材料を使用できるが、請求項３のように弾性体としてばね座金を使用すると、市販品をそのまま利用できるため、コストを抑制できる。また、ばね座金を使用すると、全周に亙って均等に変形するため、座金の片当たり現象を防止して、安定した締結状態を得ることができる。また、変形代や締め込みの硬さも、座金の枚数によって簡単に調整できる。
【図面の簡単な説明】
【００１７】
【図１】実施形態に係る椅子の外観図であり、（Ａ）は前方からの斜視図、（Ｂ）（Ｃ）は後ろから見た斜視図、（Ｄ）は側面図である。但し、（Ｂ）（Ｄ）では、肘掛け装置は表示していない。
【図２】一部部材を分離した斜視図である。
【図３】肘掛け装置の取り付け状態を示す図で、（Ａ）は上方から見た斜視図、（Ｂ）は下方から見た斜視図である。
【図４】（Ａ）は全体の分離斜視図、（Ｂ）はボルトとレバーとの関連部の斜視図である。
【図５】（Ａ）は要部の縦断正面図、（Ｂ）〜（Ｅ）は弾性体としての座金の配置例を示す図である。
【発明を実施するための形態】
【００１８】
(1).構造の説明
次に、本願発明の実施形態を図面に基づいて説明する。本実施形態は、事務用等に多用されている回転椅子の肘掛け装置に適用している。図１に示すように、椅子は、必須の要素としての脚装置１と座２と背もたれ３、及びオプション品としての肘掛け装置４を備えている。脚装置１は、ガスシリンダより成る脚支柱１ａを備えており、図１（Ｃ）、図２に示すように、脚支柱１ａの上端にベース５が固定されている。
【００１９】
ベース５には、図示しない中継部材を介して傾動フレーム６が後傾動自在に連結されており、傾動フレーム６に背もたれ３を取り付けている。そして、ベース５と既述の中継部材とに、図２に示す中間金具７が回動可能に連結されて、中間金具７にアウターシェル（座受け体）８が固定されている。座２は、樹脂製のインナーシェル（座板）９にクッション材を張った構造であり、インナーシェル９はアウターシェル８に固定されている。
【００２０】
背もたれ３が後傾すると、これに連動して中間金具７は後退しつつ後傾する。従って、座２は、背もたれ３の後傾動に連動して後退しつつ後傾する。そして、中間金具７に、左右横長のステー１０がスペーサ１１（図３（Ａ）、図５（Ａ）参照）を介して固定されており、このステー１０に肘掛け装置４が取り付けられている。従って、背もたれがロッキングすると、肘掛け装置４も一緒に後傾する。
【００２１】
次に、肘掛け装置４の取り付け構造を説明する。図３に明示するように、ステー１０の左右両端部には、ベース５の左右外側に位置した段落ち部１０ａを設けている。他方、肘掛け装置４は、肘支柱１３とこれに昇降自在に取り付けらた昇降体１４を備えており、昇降体１４に肘当て１５を取り付けている一方、肘支柱１３の下端部には、ステー１０の段落ち部１０ａの下方に延びる横向き部１６を設けており、横向き部１６がステー１０の段落ち部１０ａにボルト１７で固定されている。本実施形態では、ステー１０が請求項に記載した椅子本体を構成している。
【００２２】
横向き部１６はアルミダイキャスト品又は樹脂製品であり、ある程度の厚さを確保しつつ軽量化するため、図３（Ｂ）に示すように、下面には多数の穴が空いている。そして、横向き部１６に、その長手方向に長い長穴になっている２つのボルト挿通穴１８が空いている。他方、ステー１０の段落ち部１０ａには、前後１対のタップ穴１９が形成されている。従って、ステー１０は、ボルト１７をしっかりとねじ込みできる厚さを有している。タップ穴１９に代えて、ナットを溶接してもよい。
【００２３】
ボルト１７にはレバー２０のヘッド部２１が嵌まっており、ボルト１７の下端には、レバー２０のヘッド部２１を回動可能に支持するストッパーピン２２が、溶接等で固定されている。ヘッド部２１には、ストッパーピン２２が嵌まる下向き開口の凹所２３（図４（Ａ）参照）と、ボルト１７に対して回動することを許容する逃がし溝２４（図４（Ｂ）、図５参照）が形成されている。
【００２４】
更に、ボルト１７には、下から順に、角形ブロック状の中間支持体２５、平座金２６、２枚のばね座金２７、平座金２８が嵌まっており、横向き部１６の下面には上の平座金２８が重なっている。既述のとおり、ステー１０と中間金具７との間にスペーサ１１が介在しているが、ステー１０の段落ち部１０ａと肘掛け装置４の横向き部１６との間にも、スペーサ１１の端部１１ａが介在している。ばね座金２７は弾性体の一例であり、図５（Ｂ）の姿勢でボルト１７に嵌まっている。
【００２５】
レバー２０のヘッド部２１のうち中間支持体２５に対向した面は周面カム２１ａになっており、周面カム２１ａは、略水平姿勢にしたときに、回動軸心から上端までの距離が最も大きくて、図５（Ａ）に一点鎖線で示すように、レバー２０を下向き姿勢にしたときに、回動軸心から上端までの距離が最も小さくなるように設定している。
【００２６】
レバー２０を水平状に回動させるとボルト１７は下向きに引かれて、横向き部１６がスペーサ１１を介してステー１０の段落ち部１０ａに締め付け固定される。逆に、レバー２０を下向きに回動させると、ボルト１７による下向きの引っ張りが弱められて、ステー１０の段落ち部１０ａに対する横向き部１６の締結力は緩められる。中間支持体２５は、レバー２０による押圧力を横向き部１６に対して広い範囲で均等に作用させるためのものであり、例えば図４（Ａ）に表れているように、中間支持体２５には、周面カム２１ａが当接するフランジ２５ａを設けている。
【００２７】
なお、図３，４では、２つのボルト挿通穴１９のうち片方にソケットボルト２９が挿通された状態を描いているが、ソケットボルト２９は、ボルト挿通穴１９に嵌まり込む段部を有する段付きボルトであり、締め込みきった状態で、横向き部１６を軽く押さえるように設定していたる。従って、レバー２０を緩めても、肘掛け装置４はガタ付きなく安定した状態に保持される。なお、ソケットボルト２９はなくてもよい。また、２つのボルト挿通穴１８にそれぞれレバー２０付きのボルト１７を挿通して、横向き部１６を２本のレバー２０付きボルト１７で締結することも可能である。
【００２８】
(2).まとめ
以上の構成において、ステー１０の段落ち部１０ａへのボルト１７のねじ込みは、レバー２０を下向きに姿勢にして、レバー２０を手で掴んでボルト１７を回転させることで行われる。その状態でねじ込み抵抗が大きくなって、レバー２０を下向きにした姿勢では手で回転させることができなくなったら、レバー２０を水平状に回動させて、モーメントを利用してボルト１７を強く締め付ける。
【００２９】
そして、レバー２０を下向きにした姿勢でねじ込みできなくなる状態でレバー２０を水平状に回動させたとき、レバー２０の平面視姿勢はまちまちであり、必ずしも一定していない。そして、従来は、その状態でレバー２０を水平回動させてボルト１７を更にねじ込むことに強い力を要することから、レバー２０を横向き部１６の下方において外向きに延びる姿勢にせずに、レバー２０の姿勢が、本来、設定しておくべき姿勢と相違してしまうおそれがあった。
【００３０】
これに対して本実施形態では、レバー２０を下向きにした姿勢にして手でねじ込みできなくなる状態に至ってレバー２０を水平状に回動させてから、ばね座金２７を圧縮変形させてボルト１７を更にねじ込みできるため、レバー２０を、横向き部１６の下方において外向きに向いた姿勢に確実に保持することができる。このため、レバー２０が本来の姿勢と異なる姿勢で出荷されてしまうことを防止して、取り扱い説明書に表示されている状態で出荷できる。
【００３１】
従って、従って、組み付け作業が容易は容易であり、椅子のユーザーが取り付けることも簡単である。また、横向き部１６は、ばね座金の強い弾性復元力を介してステー１０の段落ち部１０ａに強く押し付けられているため、締結強度に関して問題はない。更に、レバー２０を下向きにした姿勢で、ばね座金２７を若干押した状態に設定しておくことにより、レバー２０を緩めた状態で肘掛け装置４がガタつくことを防止できる。このため、肘掛け装置４の左右位置調節を、安定した状態でスムースに行える。
【００３２】
弾性体としてばね座金２７を使用する場合、皿形のものを使用すると、全周にわたって均等に変形するため、締結の安定性に優れている。２枚の皿形のばね座金２７を使用する場合、図５（Ｃ）に示すように、逆方向に広がる姿勢で配置してもよい。３枚以上の皿形のばね座金２７を使用する場合は、隣り合ったものの姿勢を異ならせて重ねたらよい。
【００３３】
図５（Ｄ）（Ｅ）に示すように、２枚のばね座金２７の間に平座金を３０を介在させてもよい。この場合は、ばね座金２７は任意の姿勢でよいし、非ループ状等の皿形でないばね座金を複数枚使用することも可能である。ばね座金２７に代えて、リング状のゴムを使用することも可能である。ゴムと座金とを併用することも可能である。
【００３４】
本実施形態では、横向き部１６はステー１０に固定されているが、横向き部１６の固定対象はステー１０には限らず、ベースの張り出し部や中間金具、アウターシェル、傾動フレームなど、座の下面など、必要に応じて設定できる。ステー１０に固定する場合、スペーサ１１を介することなく直接に固定できることはいうまでもない。
【産業上の利用可能性】
【００３５】
本願発明は、実際に肘掛け装置に具体化できる。従って、産業上利用できる。
【符号の説明】
【００３６】
４  肘掛け装置
７  中間金具
１０  ステー
１０ａ  段落ち部
１１  スペーサ
１３  肘支柱
１４  肘当て
１６  横向き部
１７  ボルト
１８  ボルト挿通穴
１９  タップ穴
２０  レバー
２１  ヘッド
２１ａ  周面カム
２２  ストッパーピン
２３  凹所
２４  逃がし溝
２５  中間支持体
２６，２８  平座金
２７  弾性体の一例のばね座金
【図１】
2017113466.tif 000003
【図２】
2017113466.tif 000004
【図３】
2017113466.tif 000005
【図４】
2017113466.tif 000006
【図５】
2017113466.tif 000007
【手続補正書】
【提出日】平成28年1月6日(2016.1.6)
【手続補正１】
【補正対象書類名】図面
【補正対象項目名】全図
【補正方法】変更
【補正の内容】
【図１】
2017113466.tif 000008
【図２】
2017113466.tif 000009
【図３】
2017113466.tif 000010
【図４】
2017113466.tif 000011
【図５】
2017113466.tif 000012